(57)【要約】【課題】製造コストの上昇を抑制しつつ優れた強度及び剛性を有するパネル構造及びこれを備えるログハウスの提供を目的とする。【解決手段】本発明は、複数の長方形板状パネル部材を側端面が当接するよう平行に組み立ててなるパネル構造であって、パネル部材が薄パネル部材と厚パネル部材とを備え、厚パネル部材が１以上の薄パネル部材置きに配設されていることを特徴とする。厚パネル部材を２又は３の薄パネル部材置きに配設するとよい。厚パネル部材の厚さの薄パネル部材の厚さに対する厚さ比は１．５以上２．５以下が好ましい。パネル部材の一方の表面を面一になるよう構成するとよい。本発明のログハウスは、複数の当該パネル構造を壁体として備え、各パネル構造を構成する各パネル部材が井桁状にかつ各側交互に組積みされている。隣接する各パネル構造のそれぞれの厚パネル部材が組み合うよう構成するとよい。【選択図】図１
2009091796.tif 000002
【特許請求の範囲】
【請求項１】
複数の長方形板状パネル部材を側端面が当接するよう平行に組み立ててなるパネル構造であって、
上記パネル部材が薄パネル部材と厚パネル部材とを備え、
上記厚パネル部材が１以上の薄パネル部材置きに配設されていることを特徴とするパネル構造。
【請求項２】
上記厚パネル部材が２又は３の薄パネル部材置きに配設されている請求項１に記載のパネル構造。
【請求項３】
上記厚パネル部材の厚さ（Ｔ２）の薄パネル部材の厚さ（Ｔ１）に対する厚さ比（Ｔ２／Ｔ１）が１．５以上２．５以下である請求項１又は請求項２に記載のパネル構造。
【請求項４】
上記パネル部材の一方の表面が面一になるよう構成されている請求項１、請求項２又は請求項３に記載のパネル構造。
【請求項５】
請求項１から請求項４のいずれか１項に記載の複数のパネル構造を壁体として備え、
各パネル構造を構成する各組のパネル部材が井桁状にかつ各側交互に組積みされているログハウス。
【請求項６】
隣接する各パネル構造のそれぞれの厚パネル部材が組み合うよう構成されている請求項５に記載のログハウス。
【発明の詳細な説明】
【技術分野】
【０００１】
本発明は、パネル構造及びこれを備えるログハウスに関し、詳細には長方形板材から壁体を構成する小型ログハウスに好適なパネル構造及びこれを備えるログハウスに関するものである。
【背景技術】
【０００２】
近年、自然志向やＤＩＹ志向から、リゾート用建物のみならず、一般の住宅建物又はその付属的建物として、丸太を用いた本格的ログハウスや加工木材を用いた小型ログハウスが普及しつつある。特に今日では、板材を用いた簡易な小型ログハウスは、物置、倉庫、ガーデニング用建物等の付属的建物として、スチール製の小型建物に代替しつつある。
【０００３】
板材、角材等の加工木材を用いた従来のログハウスは、一般的には図４に示すように、土台５１、壁体５２、屋根５３、床等から構成される（例えば特開平７−３１７１７７号公報、特開平８−２３９９２３号公報、特開２００２−５４２２９号公報、特開２００４−５２４７８号公報等参照）。
【０００４】
土台５１は、同一の方形断面形状を有する４本（二対）の土台部材５４を略水平に配設し、方形に組み立てることで構成される。壁体５２は、両端近傍に嵌合凹部を有する複数の長方形板状壁体部材５５を用い、土台５１上に井桁状にかつ各側交互に組積みすることで構成される。屋根５３は、棟木、垂木、妻壁部、屋根板等からなり、壁体５２上に付設される。床は、複数の平板からなり、土台５１上に敷設される。
【０００５】
上記従来のログハウスにおいて、比較的大きなログハウスの場合、特開２００４−５２４７８号公報等に開示されているように壁体５２は土台５１にボルト及びナットで固定されている。このようなボルト及びナットによる壁体５２の固定方法は、固定強度が大きいが、構造が複雑になり、組立の困難性や製造コストの上昇を招来する。また、このボルト及びナットによる固定方法は、比較的薄い壁体部材５５を用いる小型のログハウスへの適用は困難である。
【０００６】
一方、２畳〜８畳程度の小型のログハウスの場合、壁体５２は厚さが１．５〜２ｃｍ程度の木製の長方形板状壁体部材５５を土台５１上に井桁状にかつ各側交互に組積みすることで構成されているため、強度、剛性があまり高くないという不都合がある。
【０００７】
なお、このような強度、剛性の低さは、上記小型ログハウスの壁体５２に限定されず、例えばデッキ、板塀、床等の複数の長方形板材を組み合わせたパネル構造に共通する不都合である。
【特許文献１】特開平７−３１７１７７号公報
【特許文献２】特開平８−２３９９２３号公報
【特許文献３】特開２００２−５４２２９号公報
【特許文献４】特開２００４−５２４７８号公報
【発明の開示】
【発明が解決しようとする課題】
【０００８】
本発明はこれらの不都合に鑑みてなされたものであり、製造コストの上昇を抑制しつつ優れた強度及び剛性を有するパネル構造及びこれを備えるログハウスの提供を目的とするものである。
【課題を解決するための手段】
【０００９】
上記課題を解決するためになされた発明は、
複数の長方形板状パネル部材を側端面が当接するよう平行に組み立ててなるパネル構造であって、
上記パネル部材が薄パネル部材と厚パネル部材とを備え、
上記厚パネル部材が１以上の薄パネル部材置きに配設されていることを特徴とするパネル構造である。
【００１０】
当該パネル構造は、薄パネル部材と厚パネル部材とを備え、厚パネル部材が薄パネル部材１枚又は複数枚置きに配設されていることから、パネル部材を厚くすることに起因する製造コストの上昇を抑制でき、かつ、効果的に強度及び剛性を向上することができ、外力が作用した際の撓み量を効果的に低減することができる。
【００１１】
当該パネル構造において、上記厚パネル部材を２又は３の薄パネル部材置きに配設するとよい。このように厚パネル部材を薄パネル部材２枚又は３枚置きに配設することで、上述の製造コストの上昇の抑制と強度及び剛性の向上とをバランスよく達成することができる。
【００１２】
上記厚パネル部材の厚さ（Ｔ２）の薄パネル部材の厚さ（Ｔ１）に対する厚さ比（Ｔ２／Ｔ１）としては１．５以上２．５以下が好ましい。このように厚パネル部材の厚さ（Ｔ２）の薄パネル部材の厚さ（Ｔ１）に対する厚さ比（Ｔ２／Ｔ１）を上記範囲とすることで、当該パネル構造の強度及び剛性を効果的に向上することができる。
【００１３】
上記パネル部材の一方の表面を面一になるよう構成するとよい。このようにパネル部材の一方の表面を面一になるよう構成することで、当該パネル構造の一方の面が略平面に形成され、その結果、例えば野外で使用した際に雨水等の流下性が促進され、隙間に雨水等が滞留することによるパネル部材の腐食を抑制することができる。
【００１４】
また、上記課題を解決するためになされた別の発明は、
複数の当該パネル構造を壁体として備え、
各パネル構造を構成する各組のパネル部材が井桁状にかつ各側交互に組積みされているログハウスである。
【００１５】
当該ログハウスは、上述のように優れたコスト性と強度及び剛性とを有するパネル構造を備えるため、製造コストの上昇を抑制しつつ比較的高い強度及び剛性を有し、板材で壁体を構成する従来の小型ログハウスの強度及び剛性の低さを低廉かつ簡易に改善することができる。
【００１６】
当該ログハウスにおいて、隣接する各パネル構造のそれぞれの厚パネル部材が組み合うよう構成するとよい。このように隣接する各パネル構造の厚パネル部材同士を組み合わせることで、当該ログハウス全体の強度及び剛性を高め、強風等の外力を受けた際の撓み等を効果的に低減することができる。
【００１７】
ここで、「側端面」とは、長方形板状のパネル部材における長手方向の端面を意味し、その面に凹凸等があってもよい概念である。また「薄パネル部材」及び「厚パネル部材」とは、両者の対比において厚さ（板厚）の小さい方のパネル部材及び大きい方のパネル部材を意味する。
【発明の効果】
【００１８】
以上説明したように、本発明のパネル構造及びこれを備えるログハウスは、製造コストの上昇を抑制しつつ、強度及び剛性を効果的に高めることができる。
【発明を実施するための最良の形態】
【００１９】
以下、適宜図面を参照しつつ本発明の実施の形態を詳説する。図１（ａ）及び（ｂ）は本発明の一実施形態に係るパネル構造を示す模式的平面図及び模式的断面図、図２は図１のパネル構造を示す模式的拡大部分断面図、図３は図１のパネル構造を備えるログハウスを示す模式的斜視図である。
【００２０】
図１のパネル構造１は、例えば小型ログハウスの壁体、家屋の床、デッキ、板塀等に用いられるものであり、主に複数のパネル部材２から構成されている。このパネル部材２の形成材料としては、例えば天然木材、成形木材、木質合成材（合成樹脂等を用いたもの）等の木質材料や鋼、銅合金、アルミニウム合金等の金属材料などが使用される。
【００２１】
パネル部材２は、所定長さの長方形板状（帯板状）に形成されている。複数のパネル部材２は、原則として一定の幅（Ｗ）に形成されており、構成材料の単一化ひいては製造コストの低減化が図られている。但し、パネル構造１全体の幅の調整や例えばログハウスの各壁体として井桁状にかつ各側交互に組積みする際の上端及び下端の調整など場合に両端のパネル部材２の幅（Ｗ）が調整される。
【００２２】
当該パネル構造１は、図２に示すように、複数のパネル部材２の側端面（長手方向の端面）が当接するよう平行に組み立てることで構成されている。このパネル部材２は、一方の側端面に長手方向に延びる凸条部３（ほぞ）が形成されており、他方の側端面に凸条部３と嵌合可能な長手方向に延びる凹状溝４（ほぞ穴）が形成されている。隣接する各パネル部材２の凸条部３と凹状溝４とを嵌合させることで、各パネル部材２が組み合わされている。
【００２３】
パネル部材２としては、厚さの小さい薄パネル部材２ａと、厚さの大きい厚パネル部材２ｂとを備えている。この厚パネル部材２ｂは、１以上の薄パネル部材２ａ置きに配設されており、２又は３の薄パネル部材２ａ置きに配設されるとよい。このように、全てを厚パネル部材２ｂから構成せず、１枚又は複数枚の薄パネル部材２ａを挟んで配設することで、製造コストを抑制しつつ、当該パネル構造１の強度及び剛性を効果的に向上し、外力が作用した際の撓み量を効果的に低減することができる。
【００２４】
パネル部材２のサイズとしては、特に限定されるものではなく、使用用途、形成材料、必要強度等に応じて適宜選択される。パネル部材２の形成材料として木製材料を用いる場合、パネル部材２の幅（Ｗ）としては、７０ｍｍ以上２００ｍｍ以下が好ましく、１００ｍｍ以上１５０ｍｍ以下が特に好ましい。パネル部材２の幅（Ｗ）をこの程度にすることで、パネル構造１の強度の均一化及び向上が促進される。パネル部材２の長さ（Ｌ）としては、パネルの製造性、コスト面、パネルの使用用途、強度及び剛性等を考慮すると、３００ｍｍ以上４０００ｍｍ以下が好ましく、５００ｍｍ以上２０００ｍｍ以下が特に好ましい。パネル部材２の厚さ（Ｔ）としては、コスト面、強度及び剛性等を考慮すると、１０ｍｍ以上５０ｍｍ以下が好ましく、１５ｍｍ以上３５ｍｍ以下が特に好ましい。
【００２５】
厚パネル部材２ｂの厚さ（Ｔ２）の薄パネル部材２ａの厚さ（Ｔ１）に対する厚さ比（Ｔ２／Ｔ１）としては、１．５以上２．５以下が好ましく、１．８倍以上２．２倍以下が特に好ましい。このように厚パネル部材２ｂの厚さ（Ｔ２）の薄パネル部材２ａの厚さ（Ｔ１）に対する厚さ比（Ｔ２／Ｔ１）を上記範囲とすることで、当該パネル構造１の強度及び剛性を効果的に向上することができる。
【００２６】
当該パネル構造１は、複数のパネル部材２の一方の表面が面一になるよう構成されている。このようにパネル部材２の一方の表面を面一になるよう構成することで、当該パネル構造１の一方の面が略平面に形成され、例えば野外で使用した際に雨水等の流下性が促進され、隙間に雨水等が滞留することによるパネル部材２の腐食を抑制することができる。また、例えば床、デッキ等に使用する際には、床面、デッキ面等を平坦に構成することができる。
【００２７】
なお、当該パネル構造１は、パネル部材２の他に、組み立てた複数のパネル部材２の周囲を固定するための枠体、強度及び剛性を向上するための補強材、パネル部材２等の組み合わせを締結するための締結具（例えば釘、ネジ釘、ボルト・ナット等）などを備えてもよい。
【００２８】
当該パネル構造１は、上述のように薄パネル部材２ａと厚パネル部材２ｂとを備え、厚パネル部材２ｂが１枚又は複数枚の薄パネル部材２ａ置きに配設されていることから、全てを厚パネル部材２ｂから構成するパネル構造よりも製造コストを格段に抑制することができる。また、当該パネル構造１は、全てを厚パネル部材２ｂから構成するパネル構造と対比し、厚パネル部材２ｂの使用比率を２分の１〜何分の１にしているが、その強度が厚パネル部材２ｂの使用比率まで低下せず、効果的に強度及び剛性を向上することができ、その結果、強風、押圧、重量物の載置等のような外力が作用した際の撓み量を効果的に低減することができる。
【００２９】
図３のログハウスは、物置、倉庫、ガーデニング用建物等の付属的建物として使用される簡易な小型ログハウスである。当該ログハウスは、主に、土台１１と、４面の壁体１２ａ、１２ｂ、１２ｃ、１２ｄと、ドア１３と、窓１４と、屋根（図示していない）と、内部の床（図示していない）等を備えている。
【００３０】
土台１１は、４本の土台部材１５が略水平に配設され、方形に組み立てられることで構成されている。４本の土台部材１５は、それぞれ同様の高さ及び幅を有する角柱状体であり、Ｘ方向に配設される一対の土台部材１５ａと、Ｙ方向に配設される一対の土台部材１５ｂとからなる。この一対の土台部材１５ａ及び一対の土台部材１５ｂの端部は、垂直に付き合わされ、凹凸嵌合構造や釘止め、ネジ止め、ボルト・ナットによる固定等の公知の手段で締結されている。
【００３１】
４面の壁体１２ａ、１２ｂ、１２ｃ、１２ｄは、それぞれ当該パネル構造１が用いられている。４枚のパネル構造１を構成する４組のパネル部材２は、方形に組み立てられた土台部材１５上に井桁状に載置され、各側交互に組積みして４面の壁体１２ａ、１２ｂ、１２ｃ、１２ｄを構成する。
【００３２】
パネル部材２は、載置する土台部材１５ａ又は土台部材１５ｂより長く、両端部近傍の上下には凹部１６が形成されている。凹部１６の幅は組み合わされるパネル部材２の厚さ（Ｔ）と略等しく（嵌合容易性のため若干大きい）形成され、深さはパネル部材２の上下幅（Ｗ）の１／４に形成されている。これにより、Ｘ方向のパネル部材２とＹ方向のパネル部材２とが、上下幅（Ｗ）の１／２ずつずらして組積みされる。なお、最下部に配設されるパネル部材２は、下方の凹部１６がなく、上方の左右両側の一対の凹部１６のみが形成される。
【００３３】
当該ログハウスにおいて、厚パネル部材２ｂは、最上部及び最下部に配設され、中間領域では壁体１２ａ、１２ｂ、１２ｃ、１２ｄの高さとパネル部材２の幅（Ｗ）との関係を考慮して２枚又は３枚の薄パネル部材２ａ置きに配設されている。また、４面の壁体１２ａ、１２ｂ、１２ｃ、１２ｄを構成する４枚の当該パネル構造１は、隣接する各パネル構造１のそれぞれの厚パネル部材２ｂが組み合うよう構成されている。
【００３４】
また、４面の壁体１２ａ、１２ｂ、１２ｃ、１２ｄを構成する４枚のパネル構造１は、外側が面一になるよう構成されている。これにより、当該ログハウスは、パネル構造１の外側面が略平面に形成され、その結果、雨水等の流下性が促進され、隙間に雨水等が滞留することによるパネル部材２等の腐食を抑制することができる。
【００３５】
ドア１３及び窓１４は、壁体１２ａ、１２ｂ、１２ｃ又は１２ｄに組み込まれている。ドア１３及び窓１４の構造は、特に限定されるものではなく、一般的には枠体、ドア本体又は窓本体、これらの本体を枠体に回動自在に取り付けるヒンジ等から構成される。
【００３６】
屋根は、組積みされた壁体１２ａ、１２ｂ、１２ｃ、１２ｄの上部に付設される。この屋根は、特に限定されるものではなく、付設される屋根の形状に応じて適宜選定される。屋根を構成する部材としては、具体的には棟木、垂木、妻壁部、屋根板等を含み、その他に屋根保護材等を含んでもよい。
【００３７】
床は、組み立てられた土台１１上であって４面の壁体１２ａ、１２ｂ、１２ｃ、１２ｄの内部に敷設される。この床は、特に限定されるものではなく、適宜選定される。床を構成する部材としては、具体的には複数の平板状床材からなり、通常は方形に組み立てた土台１１の上面に掛け渡されるように敷設される。
【００３８】
当該ログハウスは、上述のように優れたコスト性と強度及び剛性とを有するパネル構造１を備えるため、製造コストの上昇を抑制しつつ比較的高い強度及び剛性を有し、板材で壁体を構成する従来の小型ログハウスの強度及び剛性の低さを改善することができる。また、当該ログハウスは、隣接する各パネル構造１のそれぞれの厚パネル部材２ｂが組み合うよう構成されているため、全体の強度及び剛性を高め、強風等の外力を受けた際の撓み等を効果的に低減することができる。
【００３９】
なお、本発明のパネル構造及びこれを備えるログハウスは、上記実施形態に限定されるものではない。例えば、パネル構造１の外側を面一になるよう構成せず、厚パネル部材２ｂを薄パネル部材２ａより外側に突出させ、意匠性を向上することも可能である。また、上記凹凸嵌合構造は、凹部及び凸部の形成個所が逆でも可能である。さらに、当該ログハウスは、上記構成要素の他に、デッキ等を備えてもよい。
【産業上の利用可能性】
【００４０】
以上のように、本発明のパネル構造及びログハウスは、デッキ、板塀、床、２畳〜８畳程度の小型ログハウスなどとして有用であり、特に今日普及しつつある簡易な店舗、遊び小屋、遊園地等の管理小屋、書斎、物置などに好適に使用される。
【図面の簡単な説明】
【００４１】
【図１】（ａ）及び（ｂ）は本発明の一実施形態に係るパネル構造を示す模式的平面図及び模式的断面図
【図２】図１のパネル構造を示す模式的拡大部分断面図
【図３】図１のパネル構造を備えるログハウスを示す模式的斜視図
【図４】従来の一般的なログハウスを示す模式的斜視図
【符号の説明】
【００４２】
１  パネル構造
２  パネル部材
２ａ  薄パネル部材
２ｂ  厚パネル部材
３  凸条部
４  凹状溝
１１  土台
１２ａ、１２ｂ、１２ｃ、１２ｄ  壁体
１３  ドア
１４  窓
１５ａ  土台部材
１５ｂ  土台部材
１６  凹部
【図１】
2009091796.tif 000003
【図２】
2009091796.tif 000004
【図３】
2009091796.tif 000005
【図４】
2009091796.tif 000006